(57)【要約】【課題】ガーデンライトのクイック取付装置を提供する。【解決手段】ガーデンライトのクイック取付装置は、照明装置、ランププレート２０、コネクタ３０及びロック部材を備える。照明装置の底端面上には、ねじ孔が形成される。ねじ孔内には、雌ねじが設けられる。ランププレート２０の中央部には、装着孔２１が上下に貫通して形成される。コネクタ３０は、位置決め部３１と、位置決め部３１の一側に設けられたねじ軸３２とを有する。ねじ軸３２上には、雄ねじが設けられる。ランププレート２０の両側には、ポール１２及びコネクタ３０がそれぞれ配設され、コネクタ３０のねじ軸３２が装着孔２１に挿通されて照明装置のねじ孔内に螺着され、ロック部材がランププレート２０上に取付けられ、ランププレート２０が取付位置にねじ止めされる。【選択図】図２
0003227499.tif 000002
【実用新案登録請求の範囲】
【請求項１】
照明装置、ランププレート、コネクタ及びロック部材を備えた、ガーデンライトのクイック取付装置であって、
前記照明装置の底端面上には、ねじ孔が形成され、前記ねじ孔内には、雌ねじが設けられ、前記ランププレートの中央部には、装着孔が上下に貫通して形成され、前記コネクタは、位置決め部と、前記位置決め部の一側に設けられたねじ軸と、を有し、前記ねじ軸上には、雄ねじが設けられ、前記ランププレートの両側には、ポール及び前記コネクタがそれぞれ配設され、前記コネクタの前記ねじ軸が前記装着孔に挿通されて前記照明装置の前記ねじ孔内に螺着され、前記ロック部材が前記ランププレート上に取付けられ、前記ランププレートが取付位置にねじ止めされることを特徴とする、ガーデンライトのクイック取付装置。
【請求項２】
前記照明装置は、ランプと、前記ランプの底端面上に接続された前記ポールと、を有し、
前記ポールの底端面上には、ねじ孔が形成され、前記ねじ孔の一端の前記ポールの外径は、前記装着孔の内径より大きいことを特徴とする請求項１に記載のガーデンライトのクイック取付装置。
【請求項３】
前記ロック部材は、螺着ヘッド及びねじを有し、前記螺着ヘッド上には、ねじ孔が形成され、
前記装着孔の外側に設けられた前記ランププレート上には、複数の固定孔が形成され、前記ねじが前記固定孔に挿通されて前記ねじ孔内に螺着されることを特徴とする請求項１に記載のガーデンライトのクイック取付装置。
【請求項４】
前記ロック部材は、地面挿入部であり、前記コネクタは、前記地面挿入部の頂部に設けられ、前記地面挿入部は、前記コネクタを介して前記ポールに螺着されることを特徴とする請求項１に記載のガーデンライトのクイック取付装置。
【請求項５】
前記地面挿入部の外側に設けられた前記ランププレートの底面上には、複数の羽根が設けられ、
前記羽根は、前記ランププレートに対して垂直に配設されるとともに、上から下方向にかけて幅が小さくなって鋭い角部が形成されていることを特徴とする請求項４に記載のガーデンライトのクイック取付装置。
【請求項６】
前記地面挿入部は、上から下方向にかけて小さくなっている上、横断面が十字状に形成されていることを特徴とする請求項４に記載のガーデンライトのクイック取付装置。
【請求項７】
前記ランププレート上には、複数の開口部が形成されていることを特徴とする請求項４に記載のガーデンライトのクイック取付装置。
【考案の詳細な説明】
【技術分野】
【０００１】
本考案は、ガーデンライトのクイック取付装置に関するものである。
【背景技術】
【０００２】
ガーデンライトとは、公園、広場、マンション、団地、公道などにある花壇、芝生などの緑地帯で使用される景観照明器具であり、他の照明器具と比べ、取付けが簡便で、メンテナンスし易く、観賞用としても優れた長所を有する。しかし、従来のガーデンライトは、取付けるためには地面に挿し込む必要があったため、土がある屋外でしか使用できなかった。そのため壁、木材壁板など他の材料に取付けることは容易でなく、適用性が好ましくなかった。
【考案の概要】
【課題を解決するための手段】
【０００３】
上記課題を解決するために、本考案の第１の形態によれば、照明装置、ランププレート、コネクタ及びロック部材を備えた、ガーデンライトのクイック取付装置であって、前記照明装置の底端面上には、ねじ孔が形成され、前記ねじ孔内には、雌ねじが設けられ、前記ランププレートの中央部には、装着孔が上下に貫通して形成され、前記コネクタは、位置決め部と、前記位置決め部の一側に設けられたねじ軸と、を有し、前記ねじ軸上には、雄ねじが設けられ、前記ランププレートの両側には、ポール及び前記コネクタがそれぞれ配設され、前記コネクタの前記ねじ軸が前記装着孔に挿通されて前記照明装置の前記ねじ孔内に螺着され、前記ロック部材が前記ランププレート上に取付けられ、前記ランププレートが取付位置にねじ止めされることを特徴とする、ガーデンライトのクイック取付装置を提供する。
【図面の簡単な説明】
【０００４】
【図１】本考案の第１実施形態に係るガーデンライトのクイック取付装置を示す斜視図である。
【図２】本考案の第１実施形態に係るガーデンライトのクイック取付装置を示す分解斜視図である。
【図３】本考案の第２実施形態に係るガーデンライトのクイック取付装置を示す斜視図である。
【図４】本考案の第２実施形態に係るガーデンライトのクイック取付装置を示す分解斜視図である。
【考案を実施するための形態】
【０００５】
（第１実施形態）
図１及び図２を参照する。図１は、本考案の第１実施形態に係るガーデンライトのクイック取付装置を示す斜視図である。図２は、本考案の第１実施形態に係るガーデンライトのクイック取付装置を示す分解斜視図である。図１及び図２に示すように、本考案の第１実施形態に係るガーデンライトのクイック取付装置は、少なくとも照明装置１０、ランププレート２０、コネクタ３０及び複数のロック部材から構成されてなる。上述したコネクタ３０は、照明装置１０をランププレート２０上に螺着する。複数のロック部材は、ランププレート２０を壁、壁板などの場所に取付けるために用いる。
【０００６】
上述した照明装置１０は、ランプ１１と、ランプ１１の底端面上のポール１２と、を含む。上述したポール１２の底端面上には、ねじ孔が形成される。ねじ孔内には、雌ねじが設けられる。上述したランププレート２０の中央部には、装着孔２１が上下に貫通して形成される。装着孔２１の外側のランププレート２０上には、複数の固定孔２２が形成される。上述したコネクタ３０は、位置決め部３１と、位置決め部３１の一側に設けられたねじ軸３２と、を有する。上述したねじ軸３２上には、雄ねじが設けられる。上述した位置決め部３１の外径は、装着孔２１の内径より大きい。ねじ軸３２の外径は、装着孔２１の内径に等しいか略小さい。上述したロック部材は、螺着ヘッド４１及びねじ４２を含む。上述した螺着ヘッド４１上には、ねじ孔が形成される。第１実施形態において、上述した螺着ヘッド４１は、プラスチック材料からなり、ねじ４２は、木材料からなる。
【０００７】
ランプを実際に取付ける際、まず、上述したポール１２及びコネクタ３０をランププレート２０の両側にそれぞれ配設してから、コネクタ３０のねじ軸３２を装着孔２１に挿通させてポール１２のねじ孔内に螺着させ、照明装置１０をランププレート２０上にねじ止めする。実際にランプを取付けたい場所に設置する際、まず、螺着ヘッド４１を壁、壁板など所望の場所に固定してから、ねじ４２を固定孔２２に挿通させ、対応したねじ孔４３内に螺着させることにより、所望の場所にランプを任意に取付けることができる。
【０００８】
（第２実施形態）
図３及び図４を参照する。図３は、本考案の第２実施形態に係るガーデンライトのクイック取付装置を示す斜視図である。図４は、本考案の第２実施形態に係るガーデンライトのクイック取付装置を示す分解斜視図である。図３及び図４に示すように、本考案の第２実施形態に係るガーデンライトのクイック取付装置は、第１実施形態と略同じであるが、第２実施形態のガーデンライトのランププレート２０ａの底面中央部には、下方に延びた地面挿入部４０ａが延設されており、地面挿入部４０ａの外側に設けられたランププレート２０ａの底面上には、複数の羽根５０ａが設けられている点が異なる。上述した地面挿入部４０ａの頂部には、螺着ヘッド４１が設けられている。上述したコネクタ部４１ａの端部には、ねじ孔が形成されている。上述した地面挿入部４０ａは、上から下方向にかけて小さくなっている上、横断面が十字状に形成されているため、地面挿入部４０ａを確実に取付けることができる。
【０００９】
上述した羽根５０ａは、ランププレート２０ａに対して垂直に配設される。羽根５０ａは、上から下方向にかけて幅が小さくなって鋭い角部が形成されているため、羽根５０ａを地面に挿入することが容易な上、地面挿入部４０ａと地面との接触面が増え、地面挿入部４０ａの取付けが安定する。また、上述したランププレート２０ａ上には、複数の開口部６０ａが形成され、開口部６０ａにより地面挿入部４０ａを地面から引き上げることが容易である。
【００１０】
上述したことから分かるように、本考案のガーデンライトのクイック取付装置は、照明装置１０、ランププレート２０及びコネクタ３０を備え、上述したコネクタ３０により照明装置１０をランププレート２０上に固定した後、ロック部材又は地面挿入部により、ランプを屋内又は屋外の様々な材料からなる壁面、地面などに設置することができる。本考案は従来のガーデンライトを簡素化し、ライトの見た目を簡素にし、着脱を容易にする上、屋外又は室内の様々な場所にライトを固定させることができる。
【符号の説明】
【００１１】
１０  照明装置
１１  ランプ
１２  ポール
２０  ランププレート
２０ａ  ランププレート
２１  装着孔
２２  固定孔
３０  コネクタ
３１  位置決め部
３２  ねじ軸
４０ａ  地面挿入部
４１  螺着ヘッド
４１ａ  コネクタ部
４２  ねじ
４３  ねじ孔
５０ａ  羽根
６０ａ  開口部
【図１】
0003227499.tif 000003
【図２】
0003227499.tif 000004
【図３】
0003227499.tif 000005
【図４】
0003227499.tif 000006